(57)【要約】【課題】相手装置の発信元番号を正確に読み取ることができるＴＳＩ信号を送信可能なファクシミリ装置等の通信端末装置を提供する。【解決手段】ファクシミリ装置２０の主制御部１は、ファクシミリ送信時にダイヤルした相手装置の電話番号の先頭に国際通話識別番号が付加されているか否かに基づいて海外発信であるか否かを判断し（ステップＳ５）、日本国内に発信するとき記憶された日本国内発信用発信元番号を選択する（ステップＳ７）一方、海外に発信するとき記憶された海外発信用発信元番号を選択し（ステップＳ６）、選択された発信元番号を含むファクシミリ手順信号であるＴＳＩ信号を送信し（ステップＳ８）、選択された発信元番号を送信すべき画像データに挿入して送信する（ステップＳ１１−Ｓ１２）。【選択図】図２
2008072556.tif 000002
【特許請求の範囲】
【請求項１】
日本国内発信用発信元番号と、海外発信用発信元番号とを記憶する記憶手段と、
相手装置の通信端末装置に対してファクシミリ送信するときに、日本国内に発信するとき上記記憶された日本国内発信用発信元番号を選択する一方、海外に発信するとき上記記憶された海外発信用発信元番号を選択し、選択された発信元番号を含むファクシミリ手順信号を送信するように制御する制御手段を備えたことを特徴とする通信端末装置。
【請求項２】
上記制御手段は、選択された発信元番号を送信すべき画像データに挿入して送信することを特徴とする請求項１記載の通信端末装置。
【請求項３】
上記制御手段は、発信する相手装置の電話番号の先頭に付加された国際通話識別番号に基づいて、海外に発信するか否かを判断することを特徴とする請求項１又は２記載の通信端末装置。
【請求項４】
上記制御手段は、ファクシミリ送信時に設定されている海外通信モードであるか否かに基づいて、海外に発信するか否かを判断することを特徴とする請求項１又は２記載の通信端末装置。
【請求項５】
発信する相手装置の電話番号とともに、海外に発信するか否かを示す情報を記憶する別の記憶手段を備え、
上記制御手段は、上記記憶された海外に発信するか否かを示す情報に基づいて、海外に発信するか否かを判断することを特徴とする請求項１又は２記載の通信端末装置。
【発明の詳細な説明】
【技術分野】
【０００１】
本発明は、例えば、ファクシミリ装置等の通信端末装置に関する。
【背景技術】
【０００２】
特許文献１においては、オペレータによる電話番号の登録操作を簡単にするためのファクシミリ装置が開示されている。このファクシミリ装置では、発信者番号通知機能やファクシミリ通信手順中に含まれる発呼側の電話番号情報通知（ＴＳＩ；Transmitting Subscriber Identification）の機能を利用し、番号登録テーブル１２に相手先の電話番号を自動的に登録する。ＴＳＩ情報判定手段１３は、発呼側端末から電話番号情報（ＴＳＩ）が送られてきたかどうかを判定する。テーブル検索手段１４は、電話番号登録テーブルに空きがあるか否かを判定する。条件判定手段１５は、電話番号を自動登録するか否かを判定する。テーブル登録手段１６は、受信したＴＳＩ情報を番号登録テーブル１２に登録する。これにより、迷惑受信の相手先へのダイヤル操作を簡潔にすることができるという効果を有している。
【０００３】
【特許文献１】特開２００２−０６９１３３号公報。
【発明の開示】
【発明が解決しようとする課題】
【０００４】
上述のように、ファクシミリ送信のときに、ファクシミリ手順信号であるＴＳＩ信号を用いて自装置の電話番号（発信元番号）を相手装置に通知することができる。しかしながら、ＴＳＩ信号にセットする発信元番号は、日本から海外へのファクシミリ送信に備えて、国際通話識別番号（国際プレフィクス）の挿入を示す「＋」と日本の国番号「８１」を先頭に付加し、市外局番の「０」を削除した海外発信のための発信元番号（例えば、＋８１７５１２３４５６７）をセットするようになっている。しかしながら、上記の海外発信のための発信元番号は馴染みが薄く、相手装置のユーザが発信元番号を読み取りにくく、また、誤解する場合もあるという問題点があった。
【０００５】
本発明の目的は以上の問題点を解決し、相手装置の発信元番号を正確に読み取ることができるＴＳＩ信号を送信可能なファクシミリ装置等の通信端末装置を提供することにある。
【課題を解決するための手段】
【０００６】
本発明に係るファクシミリ装置は、
日本国内発信用発信元番号と、海外発信用発信元番号とを記憶する記憶手段と、
相手装置の通信端末装置に対してファクシミリ送信するときに、日本国内に発信するとき上記記憶された日本国内発信用発信元番号を選択する一方、海外に発信するとき上記記憶された海外発信用発信元番号を選択し、選択された発信元番号を含むファクシミリ手順信号を送信するように制御する制御手段を備えたことを特徴とする。
【０００７】
上記通信端末装置において、上記制御手段は、選択された発信元番号を送信すべき画像データに挿入して送信することを特徴とする。
【０００８】
また、上記通信端末装置において、上記制御手段は、発信する相手装置の電話番号の先頭に付加された国際通話識別番号に基づいて、海外に発信するか否かを判断することを特徴とする。
【０００９】
さらに、上記通信端末装置において、上記制御手段は、ファクシミリ送信時に設定されている海外通信モードであるか否かに基づいて、海外に発信するか否かを判断することを特徴とする。
【００１０】
またさらに、上記通信端末装置において、発信する相手装置の電話番号とともに、海外に発信するか否かを示す情報を記憶する別の記憶手段を備え、
上記制御手段は、上記記憶された海外に発信するか否かを示す情報に基づいて、海外に発信するか否かを判断することを特徴とする。
【発明の効果】
【００１１】
従って、本発明に係る通信端末装置によれば、相手装置の通信端末装置に対してファクシミリ送信するときに、日本国内に発信するとき上記記憶された日本国内発信用発信元番号を選択する一方、海外に発信するとき上記記憶された海外発信用発信元番号を選択し、選択された発信元番号を含むファクシミリ手順信号を送信するように制御する。従って、日本国内発信か海外発信かに応じて発信元番号を自動的に選択でき、相手装置のユーザが発信元番号を見たときに、発信元番号を正確に読み取ることができ、発信元番号について誤解が生じることを防止できる。
【００１２】
また、上記通信端末装置において、上記制御手段は、選択された発信元番号を送信すべき画像データに挿入して送信する。従って、相手装置のユーザが送信画像内の発信元番号を見たときに、発信元番号を正確に読み取ることができ、発信元番号について誤解が生じることを防止できる。
【発明を実施するための最良の形態】
【００１３】
以下、本発明に係る実施形態について図面を参照して説明する。なお、以下の各実施形態において、同様の構成要素については同一の符号を付している。
【００１４】
図１は、本発明に係る実施形態であるファクシミリ装置２０の構成を示すブロック図である。本実施形態に係るファクシミリ装置２０は、ＴＳＩ切換機能を有することを特徴としている。すなわち、ファクシミリ装置２０のＲＡＭ７は、国際通話識別番号を記憶する国際通話識別番号メモリ７ａと、日本国内発信用発信元番号と、海外発信用発信元番号とを記憶するＴＳＩメモリ７ｂとを含み、主制御部１は、ファクシミリ送信時にダイヤルした相手装置の電話番号の先頭に上記記憶された国際通話識別番号が付加されているか否かに基づいて海外発信であるか否かを判断し（図２のステップＳ５）、日本国内に発信するとき記憶された日本国内発信用発信元番号を選択する（ステップＳ７）一方、海外に発信するとき上記記憶された海外発信用発信元番号を選択し（ステップＳ６）、選択された発信元番号を含むファクシミリ手順信号であるＴＳＩ信号を送信し（ステップＳ８）、上記選択された発信元番号を送信すべき画像データに挿入して送信する（ステップＳ１１−Ｓ１２）ことを特徴としている。
【００１５】
図１において、ファクシミリ装置２０は、主制御部（ＣＰＵ）１と、画像読取部２と、画像記録部３と、表示部４と、操作部５と、ＲＯＭ６と、ＲＡＭ７と、画像メモリ８と、ファックスモデム１０と、ＮＣＵ（ネットワーク制御回路：Network Control Unit）１１とを備えて構成され、上記各構成要素１乃至１１は、バス１３を介して互いに接続されている。ＮＣＵ１１は、公衆電話回線Ｌを介して相手先のファクシミリ装置と接続されている。
【００１６】
ファクシミリ装置２０は、従来のＧ３方式等のファクシミリ通信機能を備える。主制御部１は具体的にはＣＰＵ（中央処理装置：Central Processing Unit）で構成されており、バス１３を介して以下のハードウェア各部と接続されてそれらを制御するほか、後述する種々のソフトウェアの機能を実行する。
【００１７】
画像読取部２は、ＣＣＤ等を利用したスキャナで原稿を読み取り、白黒２値に変更したドット画像データを出力する。画像記録部３は電子写真方式等のプリンタ装置であり、他のファクシミリ装置からファクシミリ通信により受信した画像データをハードコピーとしてプリントアウトして記録する。表示部４は、液晶表示装置（ＬＣＤ）又はＣＲＴディスプレイ等の表示装置であり、当該ファクシミリ装置２０の動作状態の表示や、送信すべき原稿の画像データ及び受信した画像データの表示を行う。
【００１８】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１９】
ＲＯＭ６は、当該ファクシミリ装置２０の動作に必要であって主制御部１によって実行される種々のソフトウェアのプログラムを予め格納し、ここで、当該プログラムは、少なくとも後述する図２のファクシミリ送信処理のプログラムを含む。
【００２０】
ＲＡＭ７（Random Access Memory）は、ＳＲＡＭ（Static Random Access Memory）又はフラッシュメモリ等で構成され、主制御部１のワーキングエリアとして使用されてプログラムの実行時に発生する一時的なデータを記憶する。また、ＲＡＭ７は、国際通話識別番号を記憶する国際通話識別番号メモリ７ａと、日本国内発信用発信元番号と、海外発信用発信元番号とを記憶するＴＳＩメモリ７ｂとを含む。ここで、国際通話識別番号メモリ７ａには、当該ファクシミリ装置２０が接続されている公衆電話回線Ｌについてマイライン又はマイラインプラスに登録している場合は、国際通話識別番号「０１０」を予め記憶し、マイライン又はマイラインプラスに登録していない場合は、国際通話識別番号「ＸＸＸＸ（国際通話を指定する電気通信事業者の識別番号：３桁又は４桁）＋０１０」を予め記憶する。また、ＴＳＩメモリ７ｂに記憶される日本国内発信用発信元番号は、例えば一例として「０７５１２３４５６７」のように記憶され、海外発信用発信元番号は、例えば一例として「＋８１７５１２３４５６７」のように記憶される。
【００２１】
なお、ＲＡＭ７としてフラッシュメモリを使用した場合には、停電、装置の移動等のために電源が遮断された場合にもそのデータの内容が失われない。画像メモリ８はＤＲＡＭ（Dynamic Random Access Memory）等で構成され、送信すべき画像データ又は受信した画像データを記憶する。なお、ＲＡＭ７及び画像メモリ８をハードディスクメモリで構成してもよい。
【００２２】
ファックスモデム１０は、ＮＣＵ１１を介して公衆電話回線Ｌに接続され、通常のファクシミリ通信用のファックスモデムの機能を有するモデムであり、ＦＳＫ信号（周波数シフトキーイング信号）として受信される発信電話番号情報のデータを復調して主制御部１に出力する。ＮＣＵ１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ＩＳＤＮ回線等のベースバンド伝送方式のデジタル回線に接続するようにしてもよい。
【００２３】
以上のように構成された本実施形態のファクシミリ装置２０は、通常のＧ３方式等のファクシミリ通信機能に加えてＴＳＩ切換機能を有している。ファクシミリ通信機能において、画像読取部２により読み取られたドット画像データはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアにより画像データに複合化されて画像記録部３からハードコピーとして出力される。なお、画像メモリ８は画像データを必要に応じて記憶し、また逆に記憶している画像データを必要に応じて出力する。
【００２４】
図２は図１のファクシミリ装置２０の主制御部１によって実行されるＴＳＩ切換機能のためのファクシミリ送信処理を示すフローチャートである。
【００２５】
図２において、まず、ステップＳ１において、送信イベントが発生したか否かが判断され、ＹＥＳのときはステップＳ２に進む一方、ＮＯのときはステップＳ１に戻る。次いで、相手装置の電話番号に発呼してダイヤルし、ステップＳ３においてＣＮＧ信号を送信してＣＥＤ信号を受信し、ステップＳ４において、ＮＳＦ信号、ＣＳＩ信号及びＤＩＳ信号を受信する。さらに、ダイヤルした相手装置の電話番号の先頭において国際通話識別番号メモリ７ａ内の国際通話識別番号が付加されているか否かが判断され、ＹＥＳのときはステップＳ６に進む一方、ＮＯのときはステップＳ７に進む。ステップＳ６において、ＴＳＩメモリ７ｂ内の海外発信用発信元番号を取得してＴＳＩ信号にセットし、ステップＳ８に進む。一方、ステップＳ７では、ＴＳＩメモリ７ｂ内の日本国内発信用発信元番号をＴＳＩ信号を取得してＴＳＩ信号にセットし、ステップＳ８に進む。ステップＳ８では、ＴＳＩ信号及びＤＣＳ信号を送出し、ステップＳ９では、トレーニング処理を実行し、ステップＳ１０でＣＦＲ信号を受信する。さらに、ステップＳ１１において、送信すべき画像データの画像データのヘッダに上記取得した発信元番号を挿入し、ステップＳ１２において、上記ヘッダを有する画像データを送信し、ステップＳ１３において回線を切断し、ステップＳ１に戻る。
【００２６】
以上説明したように、本実施形態に係るファクシミリ装置２０によれば、主制御部１は、ファクシミリ送信時にダイヤルした相手装置の電話番号の先頭に上記記憶された国際通話識別番号が付加されているか否かに基づいて海外発信であるか否かを判断し（図２のステップＳ５）、日本国内に発信するとき記憶された日本国内発信用発信元番号を選択する（ステップＳ７）一方、海外に発信するとき上記記憶された海外発信用発信元番号を選択し（ステップＳ６）、選択された発信元番号を含むファクシミリ手順信号であるＴＳＩ信号を送信し（ステップＳ８）、上記選択された発信元番号を送信すべき画像データに挿入して送信する（ステップＳ１１−Ｓ１２）。従って、日本国内発信か海外発信かに応じて発信元番号を自動的に選択でき、相手装置のユーザが発信元番号を見たときに、発信元番号を正確に読み取ることができ、発信元番号について誤解が生じることを防止できる。また、相手装置のユーザが送信画像内の発信元番号を見たときに、発信元番号を正確に読み取ることができ、発信元番号について誤解が生じることを防止できる。
【００２７】
以上の実施形態においては、ダイヤルした相手装置の電話番号の先頭に上記記憶された国際通話識別番号が付加されているか否かに基づいて海外発信であるか否かを判断し（図２のステップＳ５）ているが、本発明はこれに限らず、以下の方法で判断してもよい。
（Ａ）ＲＡＭ７内の電話帳テーブル又は短縮番号テーブルにおいて、宛先別に設定されている海外通信モード（例えば、伝送レートを４８００ｂｐｓ以下に限定する通信モード）が設定されているか否かに基づいて、海外に発信するか否かを判断する。
（Ｂ）ＲＡＭ７内の電話帳テーブル又は短縮番号テーブルにおいて、宛先別に、相手装置の電話番号とともに、海外に発信するか否かを示す情報を記憶しておき、その情報に基づいて海外に発信するか否かを判断する。
【００２８】
以上の実施形態においては、発信元番号をＴＳＩ信号にセットしているが、本発明はこれに限らず、ＮＳＦ（Non Standard Facilities）信号にセットして送信してもよい。
【００２９】
以上の実施形態においては、ファクシミリ装置２０について説明しているが、本発明は。ファクシミリ機能を有する電子機器などの通信端末装置に広く適用できる。
【産業上の利用可能性】
【００３０】
以上詳述したように、本発明に係る通信端末装置によれば、相手装置の通信端末装置に対してファクシミリ送信するときに、日本国内に発信するとき上記記憶された日本国内発信用発信元番号を選択する一方、海外に発信するとき上記記憶された海外発信用発信元番号を選択し、選択された発信元番号を含むファクシミリ手順信号を送信するように制御する。従って、日本国内発信か海外発信かに応じて発信元番号を自動的に選択でき、相手装置のユーザが発信元番号を見たときに、発信元番号を正確に読み取ることができ、発信元番号について誤解が生じることを防止できる。また、上記通信端末装置において、上記制御手段は、選択された発信元番号を送信すべき画像データに挿入して送信する。従って、相手装置のユーザが送信画像内の発信元番号を見たときに、発信元番号を正確に読み取ることができ、発信元番号について誤解が生じることを防止できる。
【図面の簡単な説明】
【００３１】
【図１】本発明に係る実施形態であるファクシミリ装置２０の構成を示すブロック図である。
【図２】図１のファクシミリ装置２０の主制御部１によって実行されるＴＳＩ切換機能のためのファクシミリ送信処理を示すフローチャートである。
【符号の説明】
【００３２】
１…主制御部（ＣＰＵ）、
２…画像読取部、
３…画像記録部、
４…表示部、
５…操作部、
６…ＲＯＭ、
７…ＲＡＭ、
７ａ…国際通話識別番号メモリ、
７ｂ…ＴＳＩメモリ、
８…画像メモリ、
１０…ファックスモデム、
１１…ＮＣＵ、
１３…バス、
２０…ファクシミリ装置。
【図１】
2008072556.tif 000003
【図２】
2008072556.tif 000004